(57)【特許請求の範囲】
【請求項１】
Ｈ形鋼の上のフランジ部の上面及び下のフランジ部の下面にそれぞれ木質板材を固着して構成した梁を、木質の柱材間に架設し、板状をした板状断熱部の片面側の上部に梁嵌め込み用断熱突部を一体に突出形成して断熱パネルを構成し、該断熱パネルの梁嵌め込み用断熱突部を梁のＨ形鋼の屋外側において上下のフランジ部間に嵌め込んで断熱パネルを仮保持し、その後、断熱パネルの屋外側の面に胴縁を配置し、該胴縁といっしょに断熱パネルを柱材に固着具により固着することを特徴とする外壁における断熱パネルの取付け方法。
【発明の詳細な説明】
【技術分野】
【０００１】
本発明は、外壁に断熱パネルを取付けるための技術に関するものである。
【背景技術】
【０００２】
柱材間に梁を架設する軸組み工法においては、木質の柱材間に木質の梁を架設するのが一般的である。このように木質の柱材、木質の梁を用いると、釘のような固着具により簡単に胴縁やその他の部材を固着できるという利点があるが、木質であるため、鋼製の梁などを用いたものに比べて強度が弱い。
【０００３】
そこで、従来から、Ｈ形鋼の上のフランジ部の上面及び下のフランジ部の下面にそれぞれ木質板材を固着して構成した梁を、木質の柱材間に架設することが行われている。このものは、木質の構造材の利点を生かしながら、同時に強度を高めることができるという利点がある。
【０００４】
このような従来例として例えば特許文献１が知られている。
【０００５】
上記従来例においては、外壁内に断熱材を組み込んで取付けるようになっているが、断熱材は梁と柱材とに囲まれた部分に板状をした断熱パネルを嵌め込むようにしている。ところが、上記従来例においては梁部分においては断熱材が設けてなく、梁部分においては建物の内外で熱が逃げてしまうと問題があり、特に、梁のＨ形鋼の部分においては熱が逃げるという問題がある。
【０００６】
そこで、梁のＨ形鋼の部分の断熱を行う必要があるが、Ｈ形鋼の上下のフランジ部間に上記断熱パネルとは別体の断熱材を嵌め込んで取付けることが考えられる。
【０００７】
しかしながら、このものにおいては、上記梁と柱材とに囲まれた部分に板状をした断熱パネルを嵌め込んで取付ける工事と、Ｈ形鋼の上下のフランジ部間に断熱材を嵌め込んで取付ける工事とは別々の工事であり、施工に手間がかかるという問題があり、しかも、Ｈ形鋼のフランジ部の外端は露出したままであり、この部分が熱橋となって、熱が逃げるという問題がある。
【特許文献１】特開２０００−３０３５７６号公報
【発明の開示】
【発明が解決しようとする課題】
【０００８】
本発明は上記の従来の問題点に鑑みて発明したものであって、梁のＨ形鋼の部分の断熱施工と、外壁の柱材間の部分の断熱施工とを同時に且つ確実に行うができると共に、施工も簡略化できる外壁における断熱パネルの取付け方法を提供することを課題とするものである。
【課題を解決するための手段】
【０００９】
上記課題を解決するために本発明に係る外壁における断熱パネルの取付け方法は、Ｈ形鋼１の上のフランジ部２の上面及び下のフランジ部３の下面にそれぞれ木質板材４、５を固着して構成した梁６を、木質の柱材７間に架設し、板状をした板状断熱部８の片面側の上部に梁嵌め込み用断熱突部９を一体に突出形成して断熱パネル１０を構成し、該断熱パネル１０の梁嵌め込み用断熱突部９を梁６のＨ形鋼１の屋外側において上下のフランジ部２、３間に嵌め込んで断熱パネル１０を仮保持し、その後、断熱パネル１０の屋外側の面に胴縁１１を配置し、該胴縁１１といっしょに断熱パネル１０を柱材７に固着具１２により固着することを特徴とするものである。
【００１０】
このような方法を採用することで、梁６の主体を構成するＨ形鋼１部分を利用して、断熱パネル１０の梁嵌め込み用断熱突部９を梁６のＨ形鋼１の屋外側において上下のフランジ部２、３間に嵌め込んで断熱パネル１０を仮保持して、該断熱パネル１０を胴縁１１といっしょに木質の柱材７に固着具１２により固着できて、梁６のＨ形鋼１の断熱施工と外壁の柱材７間の部分の断熱施工が同時に行える。また、梁６のＨ形鋼１の断熱と外壁の柱材７間の部分の断熱とを断熱パネル１０で連続して行えるので、特に、Ｈ形鋼１の下のフランジ部３の端部を断熱パネル１０で覆って、この部分で熱橋により熱が逃げるのを確実に防止し、且つ、気密を確保することができる。
【発明の効果】
【００１１】
本発明は、上記のような方法により施工するので、梁のＨ形鋼の部分の断熱施工と、外壁の柱材間の部分の断熱施工とを同時に確実に行うことができると共に、施工が簡単且つ確実にでき、また、断熱性及び気密性を向上させることができる。
【発明を実施するための最良の形態】
【００１２】
以下、本発明を添付図面に示す実施形態に基いて説明する。
【００１３】
梁６は、Ｈ形鋼１の上のフランジ部２の上面及び下のフランジ部３の下面にそれぞれ木質板材４、５を固着して構成してあり、この梁６を木質の柱材７間に架設して図１のように軸組み構造体１５を形成してある。
【００１４】
なお、本発明でいう木質の柱材７とは柱７ａだけでなく間柱７ｂも含む概念である。また、図中２０は基礎、２１は土台であり、柱材７は土台２１上に立設される。
【００１５】
図６には本発明に使用する断熱パネル１０が示してあり、板状をした板状断熱部８の片面側の上部に左右方向の全長にわたって梁嵌め込み用断熱突部９を一体に突出形成して断熱パネル１０が構成してある。
【００１６】
ここで、梁嵌め込み用断熱突部９は、梁６のＨ形鋼１の上のフランジ部２の巾方向の片側半分、下のフランジ部３の巾方向の片側半分、ウェッブ部１３により囲まれた外側方に開口した凹部１４にぴったりと嵌り込む大きさ形状をしている。また、断熱パネル１０の上下長さは、例えば、上のフランジブ２から土台２１に至る長さとなっており、左右方向の長さは、例えば、柱材７の中心間の距離（実施形態では柱７ａの中心間の距離）と同じ長さとなっている。
【００１７】
上記の軸組み構造体１５に、上記の構成の断熱パネル１０を組み込んだ外壁を形成するには以下のようにして行う。
【００１８】
まず、図２に示すように、柱材７の外面に合板のような下地板１６を固着し、該下地板１６の上端部を梁６の下のフランジ部３の下面に固着した木質板材５の外側端面に重ねて固着する。なお、実施形態では下地板１６を固着しているが、この下地板１６を固着する工程は省略してもよいものとする。
【００１９】
次に、図３のように断熱パネル１０の梁嵌め込み用断熱突部９を梁６のＨ形鋼１の凹部１４に屋外側から嵌め込んで断熱パネル１０を仮保持する。
【００２０】
その後、図４に示すように、断熱パネル１０の屋外側の面に胴縁１１を配置し、該胴縁１１といっしょに断熱パネル１０を柱材７にビスのような固着具１２により固着する。
【００２１】
このように、いったん断熱パネル１０の梁嵌め込み用断熱突部９を梁６のＨ形鋼１の凹部１４に屋外側から嵌め込むことで、断熱パネル１０を仮保持した後、胴縁１１といっしょに断熱パネル１０の本固定ができるので、面積が広いため作業時に取扱い難くて、位置決め固定作業がし難い断熱パネル１０の位置決め、取付けが、簡単且つ正確におこなえることになり、例えば一人の作業者であっても、面積の広い断熱パネル１０と胴縁１１とを同時に柱材７に固定する作業が簡単にできることになる。また、梁６のＨ形鋼１の断熱施工と外壁の柱材７間の部分の断熱施工が同時に行えるので、断熱のための工事がより簡略化できることになる。
【００２２】
上記のようにして断熱パネル１０と胴縁１１とを柱材７に固着した後、胴縁１１の外面側に図５に示すように、外装材１７を取着して断熱パネル１０を組み込んだ外壁を形成する。
【００２３】
上記のようにして形成した外壁には、内部に組み込んだ断熱パネル１０が、梁６のＨ形鋼１部分から外壁の柱材７間の部分にかけて連続して存在することになり、梁６のＨ形鋼１の断熱と外壁の柱材７間の部分の断熱とを断熱パネル１０で連続して行えることになって、断熱効果が向上し、また、気密性が向上する。
【００２４】
この場合、Ｈ形鋼１部分の断熱は厚みが厚い梁嵌め込み用断熱突部９により断熱することにより、更に、Ｈ形鋼１の下のフランジ部３の端部も断熱パネル１０で覆われるので、熱橋により熱が逃げるのを確実に防止できてこの点でも断熱効果が向上することになる。
【図面の簡単な説明】
【００２５】
【図１】本発明の施工順序を示し、（ａ）は縦断面図であり、（ｂ）は（ａ）のＸ−Ｘ線の断面図である。
【図２】同上の施工順序を示し、（ａ）は縦断面図であり、（ｂ）は（ａ）のＸ−Ｘ線の断面図である。
【図３】同上の施工順序を示し、（ａ）は縦断面図であり、（ｂ）は（ａ）のＸ−Ｘ線の断面図である。
【図４】同上の施工順序を示し、（ａ）は縦断面図であり、（ｂ）は（ａ）のＸ−Ｘ線の断面図である。
【図５】同上の施工順序を示す縦断面図である。
【図６】同上に用いる断熱パネルの一部省略斜視図である。
【符号の説明】
【００２６】
１  Ｈ形鋼
２  上のフランジ部
３  下のフランジ部
４  木質板材
５  木質板材
６  梁
７  柱材
８  板状断熱部
９  梁嵌め込み用断熱突部
１０  断熱パネル
１１  胴縁
１２  固着具
【図１】
0004915673.tif 000002
【図２】
0004915673.tif 000003
【図３】
0004915673.tif 000004
【図４】
0004915673.tif 000005
【図５】
0004915673.tif 000006
【図６】
0004915673.tif 000007